(57)【要約】【課題】  この発明の目的は、特にポンプ吐出側の液体圧が所定圧以上のときに圧力液体を吸込側に、バランス調整しリリーフさせる調整管付きのリリーフバルブ調整式ベーンポンプを提供することである。【解決手段】  ポンプ吐出側の液体圧が所定圧以上になったときポンプ吐出側通路からポンプ吸入側通路へリリーフさせる調整管付きリリーフバルブを付設し、この調整管内へポンプ吐出側の圧力液体を取込み第２の吸入領域へプールする。リリーフバルブは、ポンプ吐出側の液体圧による動作とポンプ吸入側の第２の吸入領域の液体圧による動作、この相反する動作によるバランス調整を行っている点に特徴を有する。【選択図】図４
2008133813.tif 000002
【特許請求の範囲】
【請求項１】
ベーンを有するロータを一側寄りに片寄らせた状態でこのポンプ室を形成するカムリングと、
ロータ外周面の周方向に軸線方向に沿って配置した両側にベーンを設けその間に進退自在にスライドピンを配置して前記カムリング内を放射方向に進退自在に保持した複数のベーンと、
ポンプ吸入側通路とポンプ吐出側通路側との境界壁にリリーフバルブを設けたポンプ本体と、
このポンプ本体内で軸支されることにより前記ロータを回転させる回転軸と、
前記ポンプ吐出側の流体圧が一定以上になったときにポンプ吸込側にリリーフさせる調整管付きリリーフバルブと、
前記リリーフバルブを一定圧力で押圧する付勢手段と、
ポンプ吐出側の流体圧が一定以上になったときに前記調整管内よりその流体の一部を取込みリリーフバルブ内部通路へ通過させ流体をプールする第２の吸入領域を設け、
前記第２の吸入領域にプールした流体圧力によりリリーフバルブを押し戻すリリーフバルブ調整手段を設けたことを特徴とするリリーフバルブ調整式ベーンポンプ。
【請求項２】
請求項１記載のバルブ調整式ベーンポンプにおいて、
前記リリーフバルブ下部中央に調整管を配置しリリーフバルブの下部より調整管先端を突出させたことを特徴とするリリーフバルブ調整式ベーンポンプ。
【請求項３】
ベーンを有するロータを一側寄りに片寄らせた状態でこのポンプ室を形成するカムリングと、
ロータ外周面の周方向に軸線方向に沿って配置した両側にベーンを設けその間に進退自在にスライドピンを配置して前記カムリング内を放射方向に進退自在に保持した複数のベーンと、
ポンプ吸入側通路とポンプ吐出側通路側との境界壁にリリーフバルブを設けたポンプ本体と、
このポンプ本体内で軸支されることにより前記ロータを回転させる回転軸と、
前記ポンプ吐出側の流体圧が一定以上になったときにポンプ吸込側にリリーフさせる調整管一体リリーフバルブと、
前記リリーフバルブを一定圧力で押圧する付勢手段と、
ポンプ吐出側の流体圧が一定以上になったときに前記調整管内よりその流体の一部を取込みリリーフバルブ内部通路へ通過させ流体をプールする第２の吸入領域を設け、
前記第２の吸入領域にプールした流体圧力によりリリーフバルブを押し戻すリリーフバルブ調整手段を設けたことを特徴とするリリーフバルブ調整式ベーンポンプ。
【請求項４】
請求項３記載のバルブ調整式ベーンポンプにおいて、
前記リリーフバルブ下部中央にリリーフバルブの下部より調整管先端を突出させたことを特徴とするリリーフバルブ調整式ベーンポンプ。
【発明の詳細な説明】
【技術分野】
【０００１】  この発明は圧力液体流通に用いるバルブ調整式ベーンポンプに関し、特にポンプ吐出側の液体圧が所定圧以上のときに圧力液体をポンプ吸込側にリリーフさせる調整管付きのリリーフバルブ調整式ベーンポンプに関する。
【背景技術】
【０００２】  従来のベーンポンプには、ポンプ吐出側の液体圧が所定圧以上のときに圧力液体をポンプ吸入側にリリーフさせるバルブ機構が知られている。以下、図５に示すように液体圧が所定圧以上のときに、バルブはポンプ吸入側へ移動しポンプ吐出側の液体を吸入側へ導くようにしている。
また、特許文献１に記載した可変容量形ベーンポンプに付設したリリーフバルブ（特許文献１においては符号２０）は、たとえばポンプ吐出側の圧力液体が圧力流体利用機器の作動によって所定圧以上になったときにその圧力流体をポンプ吐出側からポンプ吸入側にリリーフするようにしている。【０００３】  上記のように前記図５に示すバルブは、ポンプ吐出側の液体圧が所定圧以上のときに圧力液体をポンプ吸入側へリリーフする際に一気に流れ込み、その液体圧力変動の為振動を発生する。そのとき振動によりポンプ本体のバルブ足受け部内壁にバルブ胴部および足部が、繰り返し衝突しその衝突音を異常音として認識されユーザークレームとなってしまう。
前記特許文献１に記載した可変容量形ベーンポンプに付設したリリーフバルブは、両端にフランジを設けたドラム形状となっており、リリーフバルブ中央の上部よりポンプ吐出側の圧力液体が所定圧以上になった時左側（ポンプ吸入側通路）へ移動すなわちリリーフする際。圧力液体が一気に流れ込み、その圧力変動によりリリーフバルブのフランジ部がケースのリリーフバルブ受け部内壁に振動を繰り返し、当たりながらリリーフする。その振動音を異常音として認識され上記と同様にユーザークレームとなってしまう。
【特許文献１】特開平１１−２９４３４７号公報
【発明の開示】
【発明が解決しようとする課題】
【０００４】  上記のように従来のベーンポンプに付設したリリーフバルブでは、ポンプ吐出側の液体圧が所定圧以上になったときポンプ吐出側通路の圧力液体をポンプ吸入側通路へリリーフする際、その液体圧力変動の為リリーフバルブの胴部および足部がケースのリリーフバルブ受け部内壁との間で振動を起こしてしまうという問題があった。【０００５】  このリリーフバルブの振動によりケースのリリーフバルブ受け部内壁に繰り返し当たりそれが異常音として認識される問題があった。
【課題を解決するための手段】
【０００６】  この発明はポンプ吐出側の液体圧が所定圧以上になったときポンプ吐出側通路からポンプ吸入側通路へリリーフさせるリリーフバルブを付設し、圧力液体がポンプ吐出側通路からポンプ吸入側通路へリリーフする際リリーフバルブがポンプ吐出側の所定圧以上の液体圧によりポンプ吸入側への動作すなわち開放され、ポンプ吐出側通路の圧力液体がポンプ吸入側通路へ一気に流れ込む。
その際リリーフバルブ下部中央に調整管をポンプ吐出側へ設け、この調整管内をポンプ吐出側の圧力液体が流通できるようにし、さらにリリーフバルブ内部に通路を設け、第２の吸入領域を設け、この調整管内へポンプ吐出側の圧力液体を取込み第２の吸入領域へプールする。
この発明のリリーフ時のリリーフバルブは、ポンプ吐出側の液体圧によりポンプ吸入側へ動作し開放され、この時リリーフバルブの調整管内へも圧力液体を取込み第２の吸入領域にプールされた第２の吸入領域液体圧により、リリーフバルブをポンプ吐出側へ動作すなわち押戻す力を発生させる。
リリーフバルブは、ポンプ吐出側の液体圧による動作とポンプ吸入側の第２の吸入領域の液体圧による動作、この相反する動作によるバランス調整を行っている点に特徴を有する。
なお、リリーフバルブと調整管の一体となったリリーフバルブが、この発明に含まれることはいうまでもない。
【発明の効果】
【０００７】  この発明によれば、ポンプ吐出側の液体圧が所定圧以上のとき、この液体圧によりポンプ吸入側へリリーフバルブが動作し開放されると同時に、リリーフバルブに付設された調整管へ圧力液体を取込み第２の吸入領域にプールし、このプール液体圧によりポンプ吐出側へ押戻す力を発生させ、この相反する動作のバランスを取ることによりリリーフバルブの振動を抑制できる。【０００８】  また、上記リリーフバルブの振動を抑制できる為、リリーフバルブとポンプ本体のリリーフバルブ受け部内壁での異常音の発生を少なくできる。
【発明を実施するための最良の形態】
【０００９】  図１〜図４に、この発明の実施形態を示す。
図１に示すように、ポンプ本体１の両側にカバー２を配置し、上記ポンプ本体をふさいでいる。両側の上記カバーのオイルシール２１、ベアリング２２に回転軸３を回転自在に支持している。そしてロータ４の中心部分に回転軸３を貫通させるとともに、この貫通部分に平行ピン３３を介して、回転軸３とロータ４とが一体回転するようにしている。【００１０】  図２に示すように、ポンプ本体１の右側にポンプ吸入側通路７ａを設け、上記ポンプ本体の中央下方にポンプ室７を形成するカムリング１１を配置し、このカムリング内に一側に片寄らせた状態でロータ４を収容している。
ロータ４外周面の周方向に軸線方向に沿って配置した両側にベーン３１を設け、その間に進退自在にスライドピン３２を内蔵し、カムリング１１内を放射方向に進退自在に保持した複数のベーン３１を備えたロータ４を回転軸３により時計方向回転させ、搬送対象（例えば重油、軽油等）の液体を吸入通路７ｂからポンプ室７の吸入領域７ｃ〜７ｅで吸入し７ｆ〜７ｈの吐出領域で吐出し、吐出通路７ｉへ順次吐出される。【００１１】  ポンプの吐出通路７ｉと吸入通路７ｂとの境界壁にリリーフバルブ５を付設している。このリリーフバルブに対して圧縮コイルバネ５２を介してバネ受け板５３、調整ネジ５５で加圧調整して所定圧に設定できる。【００１２】  さらに、リリーフバルブ下部中央に調整管５１をポンプの吐出通路７ｉに向けて付設し、この調整管の内部通路、リリーフバルブの内部通路５ａを通じてポンプ吐出側液体が流通できるようにして、この流体をプールするリリーフバルブ５とバルブ押えカバー５６との中に第２の吸入領域７ｊを設けている。【００１３】  図３に示すように、ポンプの吐出通路７ｉの液体圧が設定圧以上になった時、ポンプの吸入通路７ｂ側へリリーフバルブ５をリリーフ、開放され、吸入通路７ｂへ一気に流れ込む。その際、吐出通路７ｉの液体の一部をリリーフバルブ内部通路５ａへ通して、第２の吸入領域７ｊにプールすることができる。【００１４】  この第２の吸入領域７ｊの液体圧により、リリーフバルブ５をポンプの吐出通路７ｉ側へ動作すなわち押戻し力５８を発生させ、リリーフバルブ５をポンプの吸入通路７ｂ側へリリーフする圧力に対抗するポンプの吐出通路７ｉ側へリリーフバルブ５に対して押戻し力５８を働かせ、この相反する動作のバランスを取ることによりリリーフバルブ５の振動を抑制することができる。
その為、リリーフバルブ５とポンプ本体のリリーフバルブ受け部内壁での異常音の発生を少なくできる。
【図面の簡単な説明】
【００１５】
【図１】  ベーンポンプの一部断面図
【図２】  ベーンポンプのＡ−Ａ断面図
【図３】  リリーフバルブ作動説明図（１）
【図４】  リリーフバルブ作動説明図（２）
【図５】  従来のベーンポンプ断面図
【符号の説明】
【００１６】１        ポンプ本体
１１      カムリング
２        カバー
２１      オイルシール
２２      ベアリング
２３      Ｏリング
３        回転軸
３１      ベーン
３２      スライドピン
３３      平行ピン
４        ロータ
５        リリーフバルブ
５ａ      リリーフバルブ内部通路
５ｂ      リリーフバルブ溝
５１      調整管
５２      圧縮コイルバネ
５３      バネ受け板
５４      調整ネジ
５５      調整ネジカバー
５６      バルブ押えカバー
５７      ナット
５８      押戻し力
６        軸継手
７        ポンプ室
７ａ      ポンプ吸入側通路
７ｂ      吸入通路
７ｃ      吸入領域（小）
７ｄ      吸入領域（中）
７ｅ      吸入領域（大）
７ｆ      吐出領域（大）
７ｇ      吐出領域（中）
７ｈ      吐出領域（小）
７ｉ      吐出通路
７ｋ      ポンプ吐出側通路
７ｊ      第２の吸入領域
１００    バルブ（従来）
１０１    バルブ押えカバー（従来）
１０２    圧縮コイルバネ（従来）
【図１】
2008133813.tif 000003
【図２】
2008133813.tif 000004
【図３】
2008133813.tif 000005
【図４】
2008133813.tif 000006
【図５】
2008133813.tif 000007